(57)【要約】【課題】居室や廊下などの生活空間から床下空間までの通気量を確保しやすい建物を提供する。【解決手段】建物１０では、間仕切壁８０に第一通気部１０２、１０４、１０６が設けられている。第一通気部１０２、１０４、１０６は、間仕切壁８０が面する生活空間５０（居室５２、廊下５４）と間仕切壁８０の内部とを連通している。そして、間仕切壁８０の内部には、第一通気部１０２、１０４、１０６で取り入れた空気の通り道となる隙間８９が設けられている。さらに、この隙間８９と床下空間４０とを連通する第二通気部１１２が設けられている。【選択図】図１
2018035514.tif 000002
【特許請求の範囲】
【請求項１】
間仕切壁に設けられ、前記間仕切壁が面する生活空間と前記間仕切壁の内部とを連通する第一通気部と、
前記間仕切壁の内部に設けられ、前記第一通気部で取り入れた空気の通り道となる隙間と、
前記隙間と床下空間とを連通する第二通気部と、
を備えた建物。
【請求項２】
前記建物は、前記床下空間の空気を前記建物の外部へ強制的に排気する強制排気手段をさらに備えている、
請求項１記載の建物。
【請求項３】
前記間仕切壁は、前記生活空間と面する壁仕上材を含んで構成されており、
前記第一通気部は、
前記壁仕上材の下部に形成された下部貫通孔と、
通気孔を備えると共に前記下部貫通孔を前記生活空間側から隠すように固定された幅木と、
を含んで構成されている、
請求項１又は請求項２に記載の建物。
【請求項４】
前記間仕切壁は、前記生活空間と面する壁仕上材を含んで構成されており、
前記第一通気部は、
前記壁仕上材の上下方向中間部に形成された中間貫通孔と、
通気孔を備えると共に前記中間貫通孔を前記生活空間側から隠すように固定された目隠部材と、
を含んで構成されている、
請求項１記載の建物。
【請求項５】
前記目隠部材は、前記中間貫通孔よりも上方に配置されると共に上面が物を載置できる載置面とされた載置部を含んで構成されている、
請求項４記載の建物。
【発明の詳細な説明】
【技術分野】
【０００１】
本発明は、建物に関する。
【背景技術】
【０００２】
特許文献１には、間仕切壁と幅木との間にスペーサを介在させ、これにより形成された間仕切壁と幅木との隙間を利用して室内空間から床下空間まで空気を送る技術が開示されている。
【先行技術文献】
【特許文献】
【０００３】
【特許文献１】特開２０１２−２１７３２号公報
【発明の概要】
【発明が解決しようとする課題】
【０００４】
しかしながら、上記技術では、間仕切壁と幅木との間に隙間を形成するため、間仕切壁から室内側へ幅木の突出量が大きくなり見栄えが悪くなることがある。また、見栄えを考慮して突出量を抑えると通気量を充分に確保できなくなる。
【０００５】
本発明は上記問題を考慮し、居室や廊下などの生活空間から床下空間までの通気量を確保しやすい建物を提供することを目的とする。
【課題を解決するための手段】
【０００６】
第１の態様に係る建物は、間仕切壁に設けられ、前記間仕切壁が面する生活空間と前記間仕切壁の内部とを連通する第一通気部と、前記間仕切壁の内部に設けられ、前記第一通気部で取り入れた空気の通り道となる隙間と、前記隙間と床下空間とを連通する第二通気部と、を備えている。
【０００７】
第１の態様に係る建物では、間仕切壁に第一通気部が設けられている。第一通気部は、間仕切壁が面する生活空間と間仕切壁の内部とを連通している。そして、間仕切壁の内部には、第一通気部で取り入れた空気の通り道となる隙間が設けられている。さらに、この隙間と床下空間とを連通する第二通気部が設けられている。
このため、居室や廊下などの生活空間の空気を、第一通気部によって間仕切壁の内部の隙間に取り入れることができ、さらに第二通気部によってこの隙間から床下空間に送ることができる。
【０００８】
このように、生活空間の空気を一旦、間仕切壁の内部に取り入れ、間仕切壁の内部の隙間を利用して空気を通し、床下空間に送ることができるので、生活空間から床下空間までの通気量の確保が容易である。
【０００９】
第２の態様に係る建物は、第１の態様に係る建物において、前記建物は、前記床下空間の空気を前記建物の外部へ強制的に排気する強制排気手段をさらに備えている。
【００１０】
第２の態様に係る建物では、床下空間の空気を建物の外部へ強制的に排気する強制排気手段が設けられているので、生活空間から間仕切壁の内部の隙間を介して建物の外部へ排出される空気の流れを積極的に作り出すことができる。
【００１１】
第３の態様に係る建物は、第１又は第２の態様に係る建物において、前記間仕切壁は、前記生活空間と面する壁仕上材を含んで構成されており、前記第一通気部は、前記壁仕上材の下部に形成された下部貫通孔と、通気孔を備えると共に前記下部貫通孔を前記生活空間側から隠すように固定された幅木と、を含んで構成されている。
【００１２】
第３の態様に係る建物では、間仕切壁が、生活空間と面する壁仕上材を含んで構成されている。そして、この壁仕上材の下部に貫通孔（下部貫通孔）が形成されており、この下部貫通孔を生活空間側から隠すように通気孔を備える幅木が固定されている。これら下部貫通孔と幅木とを含んで、生活空間と間仕切壁の内部とを連通する第一通気部が構成されている。
このように、貫通孔が壁仕上材の下部に形成されているので、通気孔を備える幅木により壁仕上材の貫通孔を隠すことができ、建物の見栄えを保つことができる。
【００１３】
第４の態様に係る建物は、第１の態様に係る建物において、前記間仕切壁は、前記生活空間と面する壁仕上材を含んで構成されており、前記第一通気部は、前記壁仕上材の上下方向中間部に形成された中間貫通孔と、通気孔を備えると共に前記中間貫通孔を前記生活空間側から隠すように固定された目隠部材と、を含んで構成されている。
【００１４】
第４の態様に係る建物では、貫通孔（中間貫通孔）が壁仕上材の上下方向中間部に形成されており、この中間貫通孔が第一通気部の一部を構成している。このため、第一通気部の通気量を確保しやすい。つまり、貫通孔が壁仕上材の下部に形成されている場合には、建物の見栄えを考慮すると、通常の幅木の上下寸法より小さな上下寸法の貫通孔しか設定できないのに対し、この態様では、比較的自由な寸法の貫通孔を設定することができる。
【００１５】
第５の態様に係る建物は、第４の態様に係る建物において、前記目隠部材は、前記中間貫通孔よりも上方に配置されると共に上面が物を載置できる載置面とされた載置部を含んで構成されている。
【００１６】
第５の態様に係る建物では、目隠部材が、中間貫通孔よりも上方に配置されると共に上面が物を載置できる載置面とされた載置部を含んで構成されている。つまり、目隠部材が、中間貫通孔を生活空間側から隠す役割だけでなく、小物などを置ける収納の役割をも果たしている。
【発明の効果】
【００１７】
以上説明したとおり、本発明に係る建物は、居室や廊下などの生活空間から床下空間までの通気量を確保しやすいという優れた効果を有する。
【図面の簡単な説明】
【００１８】
【図１】本実施形態に係る建物の要部である間仕切壁と一階床部を拡大して示す側断面図である。
【図２】図１の間仕切壁を示す分解斜視図である。
【図３】図１の幅木を拡大して示す斜視図である。
【図４】図１の突出部材を拡大して示す斜視図である。
【図５】本実施形態に係る建物を示す側断面図である。
【発明を実施するための形態】
【００１９】
以下、図１〜図５を用いて、本発明の一実施形態に係る建物１０について説明する。
【００２０】
図５に示されるように、建物１０は、基礎１２と、基礎１２の上方に設けられた生活部１４と、を含んで構成されている。基礎１２は、地盤１８内にコンクリートを打設することにより構成されている。
【００２１】
基礎１２の構造についてより具体的に説明すると、地盤１８に沿った平面状のベース部２２及びこのベース部２２に対して直交する方向で建物上下方向上側へと突出した基礎立ち上がり部２４が形成されている。基礎立ち上がり部２４は、生活部１４の一階床部７０の外縁に沿うように設けられている。
【００２２】
基礎立ち上がり部２４の建物内側面２６には、基礎断熱材２８が取り付けられている。この基礎断熱材２８は、一例として板状に形成された樹脂系断熱材によって構成されている。基礎断熱材２８は、上端部３０が基礎立ち上がり部２４の上端部３２に対応すると共に下端部３４が後述する防湿コンクリート４２と当接するよう延設されている。
【００２３】
基礎立ち上がり部２４と地盤１８と生活部１４（の一階床部７０）とで囲まれた床下空間４０には、防湿コンクリート４２が敷設されている。この防湿コンクリート４２は、床下空間４０内における地盤１８全体を覆うように敷設されている。
【００２４】
基礎立ち上がり部２４には、板厚方向に貫通された排気口４４が形成されている。この排気口４４は、床下空間４０における建物上下方向の略中央に形成されている。なお、この排気口４４の位置に対応して基礎断熱材２８にも貫通孔４６が形成されている。
【００２５】
排気口４４には、「強制排気手段」としての床下換気扇４８が設けられている。この床下換気扇４８は、内部に図示しないファンとモータが設けられており、床下空間４０内の空気を屋外へと排出するように作動する。なお、床下換気扇４８は、図示しない制御装置に配線によって接続されている。
【００２６】
生活部１４は外壁５８を備えている。外壁５８によって建物１０外部と生活空間５０とが区画されている。また、外壁５８で囲まれた生活部１４の内部には、間仕切壁８０が複数設けられており、これら間仕切壁８０によって、外壁５８で囲まれた生活部１４の内部が、例えば居室５２、廊下５４などの個々の生活空間５０ごとに区画されている。
【００２７】
〔要部〕
次に、図１〜図４を用いて、間仕切壁８０、及び一階床部７０について詳細に説明する。
【００２８】
図２には、間仕切壁８０が分解斜視図にて示されている。図２に示されるように、間仕切壁８０は、壁下地材としての木桟８１と、壁仕上材８６と、を含んで構成されている。
【００２９】
木桟８１は、一対の間柱８２、天板８３及び底板８４により枠状に形成されている。換言すると、木桟８１は、上下方向に延びる一対の間柱８２と、一対の間柱８２の上端に架け渡された天板８３と、一対の間柱８２の下端に架け渡された底板８４と、を含んで構成されている。そして、天板８３と底板８４との間において、複数（本実施形態では４つ）の横胴縁８５が一対の間柱８２に架け渡されている。天板８３、底板８４及び複数の横胴縁８５は、上下方向を板厚方向とする平板状に形成されている。他方、間柱８２は、横胴縁８５が架け渡されている方向を板厚方向とする平板状に形成されている。
【００３０】
そして、木桟８１の両側に一対の壁仕上材８６が固定されることで、間仕切壁８０が構成されている。壁仕上材８６は、例えば石膏ボードと壁紙とから構成されている。
【００３１】
図１に示されるように、一階床部７０は、床下地材７４と、床下地材７４の上に配置された床仕上材７２と、床下地材の下に配置された床断熱材７６と、を含んで構成されている。
【００３２】
床下地材７４及び床断熱材７６は、廊下５４と居室５２という、間仕切壁８０により区画された２つの生活空間５０に跨って設けられている。他方、床仕上材７２は、廊下５４の床面を構成する床仕上材７２と、居室５２の床面を構成する床下地材７４と、が別々に設けられている。
【００３３】
別の説明をすると、床下地材７４の上に間仕切壁８０が設けられており、この間仕切壁８０を避けて床仕上材７２が設けられている。間仕切壁８０を挟んで居室５２側に居室用の床仕上材７２が設けられ、間仕切壁８０を挟んで廊下５４側に廊下用の床仕上材７２が設けられている。
【００３４】
（第一通気部）
居室５２側の壁仕上材８６の下部には、下部貫通孔８６Ａが形成されている。図２に示されるように、下部貫通孔８６Ａは、水平方向を長手方向とする略矩形の長孔とされている。
【００３５】
壁仕上材８６のうち下部貫通孔８６Ａが形成された部分の居室５２側には、幅木９０が設けられている。幅木９０は、床仕上材７２と接触する高さに設けられており、下部貫通孔８６Ａを居室５２側から隠している。
【００３６】
図１及び図３に示されるように、幅木９０は、複数（本実施形態では３つ）の通気孔９０Ａを備えている。これにより、幅木９０の通気孔９０Ａと、壁仕上材８６の下部貫通孔８６Ａとが連通しており、居室５２の空気を間仕切壁８０の内部に取り入れることができるようになっている。
【００３７】
複数の通気孔９０Ａの各々は、互いに共通した水平方向を長手方向とする長孔とされ、上下方向に並べて設けられている。各々の通気孔９０Ａの貫通方向は、幅木９０の板厚方向（つまり、水平方向）に対して傾斜して設けられており、通気孔９０Ａの居室５２側が低くなると共に通気孔９０Ａの壁仕上材８６側が高くなっている。これにより、居室５２の幅木９０と同じ高さ位置から幅木９０を見た場合でも、通気孔９０Ａを介して下部貫通孔８６Ａが見えないようになっている。
【００３８】
以上説明した壁仕上材８６の下部貫通孔８６Ａ及び幅木９０が本発明の「第一通気部」（第一通気部１０２）に相当する。
【００３９】
（隙間）
間仕切壁８０の内部には、一対の壁仕上材８６に挟まれた部分に隙間８９が形成されている。幅木９０の通気孔９０Ａ、及び壁仕上材８６の下部貫通孔８６Ａを通じて間仕切壁８０の内部に取り入れられた空気は、この隙間８９と通るようになっている。
【００４０】
（第二通気部）
図１に示されるように、木桟８１の底板８４には、上下方向に貫通する孔８４Ａが形成されている。さらに、一階床部７０の一部を構成する床下地材７４及び床断熱材７６には、木桟８１の底板８４の孔８４Ａに対応する位置に、上下方向に貫通する孔７４Ａ、７６Ａが形成されている。これにより、間仕切壁８０の内部の隙間８９と床下空間４０とが、底板８４、床下地材７４及び床断熱材７６の孔８４Ａ、７４Ａ、７６Ａにより連通されている。これら底板８４、床下地材７４及び床断熱材７６の孔８４Ａ、７４Ａ、７６Ａが、本発明の「第二通気部」（第二通気部１１２）に相当する。
【００４１】
（その他の第一通気部）
以上では、下部貫通孔８６Ａと幅木９０とが本発明の「第一通気部」（第一通気部１０２）を構成している例を説明したが、本実施形態の建物１０は、第一通気部１０２以外にも、第一通気部１０４、１０６を備えている。
【００４２】
図１及び図２に示されるように、廊下５４側の壁仕上材８６の上下方向中間部には、中間貫通孔８６Ｂが形成されている。中間貫通孔８６Ｂは、水平方向を長手方向とする矩形状とされており、その上下寸法が下部貫通孔８６Ａよりも大きく形成されている。
【００４３】
そして、壁仕上材８６の中間貫通孔８６Ｂが形成された部分の廊下５４側には、「目隠部材」としてのガラリ９２が設けられている。ガラリ９２は、通気孔９２Ａを備えると共に中間貫通孔８６Ｂを覆うように固定されており、中間貫通孔８６Ｂを廊下５４側から隠している。これら中間貫通孔８６Ｂ及びガラリ９２も、本発明の「第一通気部」（第一通気部１０４）に相当する。
【００４４】
また、図１及び図２に示されるように、居室５２側の壁仕上材８６の上下方向中間部には、中間貫通孔８６Ｂが形成されている。中間貫通孔８６Ｂは、水平方向を長手方向とする矩形状とされており、その上下寸法が下部貫通孔８６Ａよりも大きく形成されている。
【００４５】
そして、図１及び図４に示されるように、壁仕上材８６のうち中間貫通孔８６Ｂが形成された部分の居室５２側には、「目隠部材」としての収納部材９４が設けられている。収納部材９４は、中間貫通孔８６Ｂを居室５２側から覆うと共に下方に開放された突出部材９５と、突出部材９５の下部に固定されたガラリ９２と、を含んで構成されている。
【００４６】
図４に示されるように、突出部材９５は、天壁９５Ｔと、一対の側壁９５Ｓと、前壁９５Ｍと、を備えている。天壁９５Ｔは、板厚方向を上下方向に向けた平板状であると共に中間貫通孔８６Ｂよりも上方に配置されている。一対の側壁９５Ｓは、板厚方向を水平方向かつ間仕切壁８０に沿う方向に向けた平板状であると共に中間貫通孔８６Ｂの左右に配置されている。前壁９５Ｍは、壁仕上材８６と平行な平板状とされ、天壁９５Ｔ及び一対の側壁９５Ｓの居室５２側の端部を接続するように設けられている。図１に示されるように、突出部材９５の上面（つまり、天壁９５Ｔの上面９５ＴＵ）は、その法線方向を上方に向けるように設けられており、小物などを置くことができるように構成されている。天壁９５Ｔが本発明の「載置部」に相当する。
【００４７】
一対の側壁９５Ｓの下端と前壁９５Ｍの下端において、突出部材９５は下方に開放されている。この開放された部分には、ガラリ９２が取付けられている。なお、図４では、分解された状態で示している。
【００４８】
以上のように構成されているので、居室５２の空気を、ガラリ９２を通じて突出部材９５の内部に導き、中間貫通孔８６Ｂを介して間仕切壁８０の内部に取り入れることができるようになっている。よって、中間貫通孔８６Ｂ、突出部材９５及びガラリ９２も、本発明の「第一通気部」（第一通気部１０６）に相当する。
【００４９】
なお、図１において、中間貫通孔８６Ｂよりも下方に位置する横胴縁８５には、上下方向に貫通する孔（図示省略）が形成されており、中間貫通孔８６Ｂを介して取り入れた空気を間仕切壁８０の内部において下方へ送ることができるようになっている。
【００５０】
＜作用効果＞
次に、本実施形態の建物１０の作用及び効果について説明する。
【００５１】
本実施形態に係る建物１０では、間仕切壁８０に第一通気部１０２、１０４、１０６が設けられている。第一通気部１０２、１０４、１０６は、間仕切壁８０が面する生活空間５０（居室５２、廊下５４）と間仕切壁８０の内部とを連通している。そして、間仕切壁８０の内部には、第一通気部１０２で取り入れた空気の通り道となる隙間８９が設けられている。さらに、この隙間８９と床下空間４０とを連通する第二通気部１１２が設けられている。
このため、生活空間５０の空気を、第一通気部１０２、１０４、１０６によって間仕切壁８０の内部の隙間８９に取り入れることができ、さらに第二通気部１１２によってこの隙間８９から床下空間４０に送ることができる。
【００５２】
このように、生活空間５０の空気を一旦、間仕切壁８０の内部に取り入れ、間仕切壁８０の内部の隙間８９を利用して空気を通し、床下空間４０に送ることができるので、生活空間５０から床下空間４０までの通気量の確保が容易である。
【００５３】
また、図５に示されるように、本実施形態に係る建物１０では、床下空間４０の空気を建物１０の外部へ強制的に排気する強制排気手段（床下換気扇４８）が設けられているので、生活空間５０から間仕切壁８０の内部の隙間８９を介して建物１０の外部へ排出される空気の流れを積極的に作り出すことができる。
【００５４】
また、本実施形態に係る建物１０では、間仕切壁８０が、生活空間５０と面する壁仕上材８６を含んで構成されている。そして、この壁仕上材８６の下部に貫通孔（下部貫通孔８６Ａ）が形成されており、この下部貫通孔８６Ａを生活空間５０（居室５２）側から隠すように通気孔９０Ａを備える幅木９０が固定されている。つまり、これら下部貫通孔８６Ａと幅木９０とを含んで、生活空間５０と間仕切壁８０の内部とを連通する第一通気部１０２が構成されている。
このように、貫通孔が壁仕上材８６の下部に形成されているので、通気孔９０Ａを備える幅木９０により壁仕上材８６の貫通孔（下部貫通孔８６Ａ）を隠すことができ、建物１０の見栄えを保つことができる。
【００５５】
また、本実施形態に係る建物１０では、貫通孔（中間貫通孔８６Ｂ）が壁仕上材８６の上下方向中間部に形成されており、この中間貫通孔８６Ｂが第一通気部１０４、１０６の一部を構成している。このため、第一通気部１０４、１０６の通気量を確保しやすい。つまり、貫通孔が壁仕上材８６の下部に形成されている場合には、建物１０の見栄えを考慮すると、通常の幅木の上下寸法より小さな上下寸法の貫通孔（下部貫通孔８６Ａ）しか設定できないのに対し、第一通気部１０４、１０６では、比較的自由な寸法の貫通孔（中間貫通孔８６Ｂ）を設定することができる。
【００５６】
また、本実施形態に係る建物１０では、「目隠部材」としての収納部材９４が、中間貫通孔８６Ｂよりも上方に配置されると共に上面９５ＴＵが物を載置できる載置面とされた載置部（天壁９５Ｔ）を含んで構成されている。つまり、目隠部材が、中間貫通孔８６Ｂを生活空間５０側から隠す役割だけでなく、小物などを置ける収納の役割をも果たしている。
【００５７】
〔上記実施形態の補足説明〕
なお、上記実施形態では、図３に示されるように、水平方向を長手方向とする長孔の通気孔９０Ａが複数設けられた幅木９０を一例として説明したが、本発明の「通気孔を備える幅木」はこれに限定されない。例えば、１つの大きな通気孔が形成されており、この通気孔を覆うようにガラリが取付けられた幅木であってもよい。また勿論、上記実施形態のように、長孔形状の通気孔が複数設けられた幅木を樹脂で一体的に形成したものであってもよい。
【００５８】
また、上記実施形態では、幅木９０と同じ高さ位置から幅木９０を見た場合に通気孔９０Ａを介して下部貫通孔８６Ａが見えないように、通気孔９０Ａが構成されている例を説明したが、本発明はこれに限定されない。
【００５９】
また、上記実施形態では、壁仕上材８６に形成された貫通孔が、該壁仕上材８６の下部又は上下方向中間部に設けられていた例を説明したが、本発明はこれに限定されない。例えば、壁仕上材８６の上部に貫通孔が形成されていてもよい。
【００６０】
また、上記実施形態では、一階床部７０が床断熱材７６を含んで構成されていた例を説明したが、本発明はこれに限定されない。また、上記実施形態では、建物１０に「強制排気手段」としての床下換気扇４８が設けられている例を説明したが、本発明はこれに限定されない。また、上記実施形態では、居室５２又は廊下５４の空気を間仕切壁８０の内部に取り入れるための第一通気部１０２、１０４、１０６を説明したが、本発明はこれに限定されない。「生活空間」の空気を間仕切壁の内部に取り入れるための通気部であれば本発明の「第一通気部」に含まれる。ここで「生活空間」とは、居室、廊下、洗面所、玄関など建物内で人が通常利用する空間を意味する。
【符号の説明】
【００６１】
１０          建物
４０          床下空間
４８          床下換気扇（強制排気手段）
５０          生活空間
５２          居室（生活空間）
５４          廊下（生活空間）
７４Ａ        孔（第二通気部）
７６Ａ        孔（第二通気部）
８４Ａ        孔（第二通気部）
８０          間仕切壁
８６          壁仕上材
８６Ａ        下部貫通孔
８６Ｂ        中間貫通孔
８９          隙間
９０          幅木
９０Ａ        通気孔
９２          ガラリ（目隠部材）
９２Ａ        通気孔
９４          収納部材（目隠し部材）
９５          突出部材
９５Ｔ        天壁（載置部）
９５ＴＵ      上面（載置面）
１０２        第一通気部
１０４        第一通気部
１０６        第一通気部
１１２        第二通気部
【図１】
2018035514.tif 000003
【図２】
2018035514.tif 000004
【図３】
2018035514.tif 000005
【図４】
2018035514.tif 000006
【図５】
2018035514.tif 000007